【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
基地局装置と通信する端末装置であって、
下りリンク制御情報フォーマット１Ａを用いてスケジュールされた、ｎｏｎ−ＭＢＳＦＮサブフレームにおける物理下りリンク共用チャネルでの送信に対して、物理レイヤセルアイデンティティを用いて与えられるセルスペシフィック参照信号の位置に基づいて、前記物理下りリンク共用チャネルがマップされるリソースエレメントを決定する手段と、
前記下りリンク制御情報フォーマット１Ａとは異なる下りリンク制御情報フォーマットを用いてスケジュールされた、ｎｏｎ−ＭＢＳＦＮサブフレームにおける前記物理下りリンク共用チャネルでの送信に対して、前記下りリンク制御情報フォーマットに含まれる制御情報を用いて指示されたセルスペシフィック参照信号の位置に基づいて、前記物理下りリンク共用チャネルがマップされるリソースエレメントを決定する手段と、
を備え、
前記制御情報は、セルスペシフィック参照信号の位置に関連する複数の情報の中から１つの情報を指示するために使用され、
前記セルスペシフィック参照信号の位置に関連する複数の情報のそれぞれ値は、上位層の信号を用いて設定される
ことを特徴とする端末装置。
【請求項２】
前記下りリンク制御情報フォーマット１Ａは、コモンサーチスペースおよびユーザー装置スペシフィックサーチスペースにおいて送信される
ことを特徴とする請求項１に記載の端末装置。
【請求項３】
前記下りリンク制御情報フォーマット１Ａとは異なる下りリンク制御情報フォーマットは、ユーザー装置スペシフィックサーチスペースのみにおいて送信される
ことを特徴とする請求項１または請求項２に記載の端末装置。
【請求項４】
端末装置と通信する基地局装置であって、
下りリンク制御情報フォーマット１Ａを用いてスケジュールした、ｎｏｎ−ＭＢＳＦＮサブフレームにおける物理下りリンク共用チャネルでの送信に対して、物理レイヤセルアイデンティティを用いて与えられるセルスペシフィック参照信号の位置に基づいて、前記物理下りリンク共用チャネルがマップされるリソースエレメントを決定する手段と、
前記下りリンク制御情報フォーマット１Ａとは異なる下りリンク制御情報フォーマットを用いてスケジュールした、ｎｏｎ−ＭＢＳＦＮサブフレームにおける前記物理下りリンク共用チャネルでの送信に対して、前記下りリンク制御情報フォーマットに含まれる制御情報を用いて指示されたセルスペシフィック参照信号の位置に基づいて、前記物理下りリンク共用チャネルがマップされるリソースエレメントを決定する手段と、
を備え、
前記制御情報は、セルスペシフィック参照信号の位置に関連する複数の情報の中から１つの情報を指示するために使用され、
前記セルスペシフィック参照信号の位置に関連する複数の情報のそれぞれは、上位層の信号を用いて設定される
ことを特徴とする基地局装置。
【請求項５】
前記下りリンク制御情報フォーマット１Ａは、コモンサーチスペースおよびユーザー装置スペシフィックサーチスペースにおいて送信される
ことを特徴とする請求項４に記載の基地局装置。
【請求項６】
前記下りリンク制御情報フォーマット１Ａとは異なる下りリンク制御情報フォーマットは、ユーザー装置スペシフィックサーチスペースのみにおいて送信される
ことを特徴とする請求項４または請求項５に記載の基地局装置。
【請求項７】
基地局装置と通信する端末装置の通信方法であって、
下りリンク制御情報フォーマット１Ａを用いてスケジュールされた、ｎｏｎ−ＭＢＳＦＮサブフレームにおける物理下りリンク共用チャネルでの送信に対して、物理レイヤセルアイデンティティを用いて与えられるセルスペシフィック参照信号の位置に基づいて、前記物理下りリンク共用チャネルがマップされるリソースエレメントを決定し、
前記下りリンク制御情報フォーマット１Ａとは異なる下りリンク制御情報フォーマットを用いてスケジュールされた、ｎｏｎ−ＭＢＳＦＮサブフレームにおける前記物理下りリンク共用チャネルでの送信に対して、前記下りリンク制御情報フォーマットに含まれる制御情報を用いて指示されたセルスペシフィック参照信号の位置に基づいて、前記物理下りリンク共用チャネルがマップされるリソースエレメントを決定し、
前記制御情報は、セルスペシフィック参照信号の位置に関連する複数の情報の中から１つの情報を指示するために使用され、
前記セルスペシフィック参照信号の位置に関連する複数の情報のそれぞれは、上位層の信号を用いて設定される
ことを特徴とする通信方法。
【請求項８】
端末装置と通信する基地局装置の通信方法であって、
下りリンク制御情報フォーマット１Ａを用いてスケジュールした、ｎｏｎ−ＭＢＳＦＮサブフレームにおける物理下りリンク共用チャネルでの送信に対して、物理レイヤセルアイデンティティを用いて与えられるセルスペシフィック参照信号の位置に基づいて、前記物理下りリンク共用チャネルがマップされるリソースエレメントを決定し、
前記下りリンク制御情報フォーマット１Ａとは異なる下りリンク制御情報フォーマットを用いてスケジュールした、ｎｏｎ−ＭＢＳＦＮサブフレームにおける前記物理下りリンク共用チャネルでの送信に対して、前記下りリンク制御情報フォーマットに含まれる制御情報を用いて指示されたセルスペシフィック参照信号の位置に基づいて、前記物理下りリンク共用チャネルがマップされるリソースエレメントを決定し、
前記制御情報は、セルスペシフィック参照信号の位置に関連する複数の情報の中から１つの情報を指示するために使用され、
前記セルスペシフィック参照信号の位置に関連する複数の情報のそれぞれは、上位層の信号を用いて設定される
ことを特徴とする通信方法。
【請求項９】
基地局装置と通信する端末装置に搭載される集積回路であって、
下りリンク制御情報フォーマット１Ａを用いてスケジュールされた、ｎｏｎ−ＭＢＳＦＮサブフレームにおける物理下りリンク共用チャネルでの送信に対して、物理レイヤセルアイデンティティを用いて与えられるセルスペシフィック参照信号の位置に基づいて、前記物理下りリンク共用チャネルがマップされるリソースエレメントを決定する機能と、
前記下りリンク制御情報フォーマット１Ａとは異なる下りリンク制御情報フォーマットを用いてスケジュールされた、ｎｏｎ−ＭＢＳＦＮサブフレームにおける前記物理下りリンク共用チャネルでの送信に対して、前記下りリンク制御情報フォーマットに含まれる制御情報を用いて指示されたセルスペシフィック参照信号の位置に基づいて、前記物理下りリンク共用チャネルがマップされるリソースエレメントを決定する機能と、
を前記端末装置に発揮させ、
前記制御情報は、セルスペシフィック参照信号の位置に関連する複数の情報の中から１つの情報を指示するために使用され、
前記セルスペシフィック参照信号の位置に関連する複数の情報のそれぞれは、上位層の信号を用いて設定される
ことを特徴とする集積回路。
【請求項１０】
端末装置と通信する基地局装置に搭載される集積回路であって、
下りリンク制御情報フォーマット１Ａを用いてスケジュールした、ｎｏｎ−ＭＢＳＦＮサブフレームにおける物理下りリンク共用チャネルでの送信に対して、物理レイヤセルアイデンティティを用いて与えられるセルスペシフィック参照信号の位置に基づいて、前記物理下りリンク共用チャネルがマップされるリソースエレメントを決定する機能と、
前記下りリンク制御情報フォーマット１Ａとは異なる下りリンク制御情報フォーマットを用いてスケジュールした、ｎｏｎ−ＭＢＳＦＮサブフレームにおける前記物理下りリンク共用チャネルでの送信に対して、前記下りリンク制御情報フォーマットに含まれる制御情報を用いて指示されたセルスペシフィック参照信号の位置に基づいて、前記物理下りリンク共用チャネルがマップされるリソースエレメントを決定する機能と、
を前記基地局装置に発揮させ、
前記制御情報は、セルスペシフィック参照信号の位置に関連する複数の情報の中から１つの情報を指示するために使用され、
前記セルスペシフィック参照信号の位置に関連する複数の情報のそれぞれは、上位層の信号を用いて設定される
ことを特徴とする集積回路。
【手続補正２】
【補正対象書類名】明細書
【補正対象項目名】発明の名称
【補正方法】変更
【補正の内容】
【発明の名称】端末装置、基地局装置、通信方法、および集積回路
【手続補正３】
【補正対象書類名】明細書
【補正対象項目名】０００１
【補正方法】変更
【補正の内容】
【０００１】
本発明は、端末装置、基地局装置、通信方法、および集積回路に関する。
【手続補正４】
【補正対象書類名】明細書
【補正対象項目名】０００７
【補正方法】変更
【補正の内容】
【０００７】
本発明は、上記問題を鑑みてなされたものであり、その目的は、基地局と端末が、物理信号／物理チャネルがマップされるリソースエレメントに基づいて、下りリンクデータを送受信し、効率的に通信することができる端末装置、基地局装置、通信方法、および集積回路を提供する。